(57)【要約】【課題】枕の本体に構造的特異性を持たせることと、該本体とは別に特殊の袋カバーを備えることで、枕の本体の所定部分に高低差を持たせて頭部姿勢を安定支持させ、所定のクッション性を付与させるようにすること。【解決手段】本体が、左右の嵩高部と、これらの間に配置された嵩低部とから成り、前記嵩低部は、その袋状体の容積に比して顕著に小さい容積を形成するように粒状乃至小片状充填物が未完充填状態で充填されて所定のクッション性と変形性とを備え、袋カバーが、開閉用のファスナーを有し、且つ、該袋状体の少なくとも全長の寸法が、前記本体の全長よりも顕著に短く構成され、前記本体が、前記嵩低部の未完充填状態を用いて皺寄せさせられた状態で、該袋カバーに収納されている。【選択図】図１
2008206936.tif 000002
【特許請求の範囲】
【請求項１】
就寝用の枕であって、
本体１が、左右両側に配置された袋状体の嵩高部３、３と、これらの袋状体の嵩高部３、３の間に配置された袋状体の嵩低部４、４とから成り、
前記嵩高部３、３は、その袋状体の容積に略対応する粒状乃至小片状充填物９が充填されて所定のクッション性と保形性とを備え、
前記嵩低部４、４は、その袋状体の容積に比して顕著に小さい容積を形成するように粒状乃至小片状充填物９が未完充填状態で充填されて所定のクッション性と変形性とを備え、
袋カバー２が、開閉用のファスナー８を有し、且つ、該袋状体２の少なくとも全長の寸法が、前記本体１の全長よりも顕著に短く構成され、
前記本体１が、前記嵩低部４、４の未完充填状態を用いて皺寄せさせられた状態で、該袋カバー２に収納されている、
ことを特徴とする枕。
【請求項２】
前記嵩高部３、３の頭頂側部分３Ａ、３Ａが、直接、前記嵩低部４、４に逢着されると共に他の部分が、前記本体１の全幅方向に沿って配置された低柔軟性で袋状の左右支え部６、６に逢着され、該左右支え部６、６の内側の上部及び中央部が前記嵩低部４、４の外側に逢着され、且つ、前記嵩高部３、３の首側部分３Ｂ、３Ｂが、前記左右支え部６、６を介して、低柔軟性の袋状の首当て部７により前記嵩低部４、４に逢着されている、
ことを特徴とする請求項１の枕。
【請求項３】
前記嵩高部３、３及び嵩低部４、４には、プラスチック製の粒状乃至小片状充填物９が充填されると共に嵩低部４、４には、その袋状の容積よりも少ない量が充填されることで高柔軟性を発現できるように構成されている、ことを特徴とする請求項１又は請求項２の枕。
【請求項４】
前記左右支え部６、６にはプラスチック製の粒状乃至小片状充填物９が略充満状態で充填されて低柔軟性を発現させ、前記首当て部７には原綿１０が略充満状態で充填されて低柔軟性を発現できるように構成されている、請求項２又は請求項３の枕。
【発明の詳細な説明】
【技術分野】
【０００１】  本発明は、就寝用等に使用する枕の改良に関する。
【背景技術】
【０００２】  就寝用等に使用する枕としては、古来より、和洋の種々の構成のものが使用され、また、提案されている。
一般には、全体が袋状で、内部に羽毛や蕎麦殻等が充填されている。
これらの単純な構成の場合であって、大量生産の製品としての枕は、その高さが製作時に決定されてしまうものであり、各人に適合した高さを得がたいという問題があった。
尤も、古くは、一般家庭においては、一旦完成しても、その袋状態の逢着を一部解き、蕎麦殻等の充填量を適宜調整して、高さ調整を行うことはできた。
尚、枕本体が汚れるのを防止するために、枕カバーを本体の全体或いは中央部に着脱自在に被せることは行われていた。【０００３】  上述した大量生産の枕では、その高さ調整が行い難いという問題と、頭部を支える硬さにも問題があり、枕を硬く構成すると寝返りが行い難く、また、柔らかくし過ぎると、頭部が枕に沈み込み、安定した支えが得られ難いという問題がある。【０００４】  このような問題を解決しようとして、種々の提案がなされており、例えば、次の技術が挙げられる。
【特許文献１】実用新案登録第３０６８５３２号。
【特許文献２】実用新案登録第３０７４６５４号。
【発明の開示】
【発明が解決しようとする課題】
【０００５】  上記の従来技術によれば、枕の各部位に硬軟性を持たせることで頭部姿勢を最適な状態となるようにすること、或いは、内部充填物９に硬軟性の素材を選択して分散配置する等の手段によって頭部の安定化を図ることが提案されている。
しかし、何れにしても、これまでは、生産工程における縫製が完了した時点で、その枕の固有の柔軟性等が決定されることになるので、大量生産においては、適正な枕の硬さ、高さを設定することは非常に難しいものであった。【０００６】  本発明は、かかる問題点に鑑み、枕の本体に構造的特異性を持たせることと、該本体とは別に特殊の袋カバーを備えることで、枕の本体の所定部分に高低差を持たせて頭部姿勢を安定支持させ、所定のクッション性を付与させるようにすることを目的とする。
【課題を解決するための手段】
【０００７】  本発明にかかる枕は、上記課題を解決するために、請求項１に記載の通り、
就寝用の枕であって、
本体１が、左右両側に配置された袋状体の嵩高部３、３と、これらの袋状体の嵩高部３、３の間に配置された袋状体の嵩低部４、４とから成り、
前記嵩高部３、３は、その袋状体の容積に略対応する粒状乃至小片状充填物９が充填されて所定のクッション性と保形性とを備え、
前記嵩低部４、４は、その袋状体の容積に比して顕著に小さい容積を形成するように粒状乃至小片状充填物９が未完充填状態で充填されて所定のクッション性と変形性とを備え、
袋カバー２が、開閉用のファスナー８を有し、且つ、該袋状体２の少なくとも全長の寸法が、前記本体１の全長よりも顕著に短く構成され、
前記本体１が、前記嵩低部４、４の未完充填状態を用いて皺寄せさせられた状態で、該袋カバー２に収納されている、
ことを特徴とする。【０００８】  本発明において、クッション性とは、弾力性と同義であり、保形性とは、当初縫製された形状を略保持される状態をいう。
また、袋状体の容積に比して顕著に小さい容積を形成するように、という顕著の意味は、比較が２〜３％という僅かな差異ではなく、明らかに差異があること、例えば、１０％、２０％といった大きな差異を言う。
同様に、袋状体の少なくとも全長の寸法が、前記本体の全長よりも顕著に短く構成され、という顕著の意味は、比較として１〜２センチ程度ではなく、５センチ、１０センチといった大きな差異をいう。
更に、粒状乃至小片状充填物９の未完充填状態とは、その対象の袋状体が満杯状態に充填されていないことを言う。
【発明の効果】
【０００９】  本発明によれば、枕の本体に、両側の嵩高部とこれに挟まれた嵩低部を設けるという構造的特異性を持たせ、且つ、該本体とは別に、該本体に比べて全長が顕著に短い袋カバーに収納することで、該本体を、袋カバーの内部で変形、及び位置変動可能（嵩低部を皺寄せさせる）にすることができる。【００１０】  これにより、枕の本体の所定部分に高低差を持たせると同時に、所定のクッション性を付与させ、以って、頭部姿勢をクッション性よく安定支持させ、寝心地を向上させることが出来る利点がある。
その結果、枕製造時にその高低位置、硬軟性を確定させる必要がなく、製造が容易となる利点も得られるのである。
本発明のその他利点は、以下の記載から明らかとなろう。
【発明を実施するための最良の形態】
【００１１】  本発明の実施に際しては、前記嵩高部３、３の頭頂側部分３Ａ、３Ａが、直接、前記嵩低部４、４に逢着されると共に他の部分が、前記本体１の全幅方向に沿って配置された低柔軟性で袋状の左右支え部６、６に逢着され、該左右支え部６、６の内側の上部及び中央部が前記嵩低部４、４の外側に逢着され、且つ、前記嵩高部３、３の首側部分３Ｂ、３Ｂが、前記左右支え部６、６を介して、低柔軟性の袋状の首当て部７により前記嵩低部４、４に逢着されているのが好ましい。【００１２】  このように、前記嵩高部３、３の頭頂側部分３Ａ、３Ａ以外において低柔軟性の左右支え部６、６が逢着されていることで、頭部の両側を支える役目を果たし、安定姿勢を作り出すことができ、快適な就寝姿勢が得られる。
また、低柔軟性（比較的硬い）の袋状の首当て部７が、首部が乗ったときにしっかりと首部を支えることができ、前記左右支え部６、６と合わせて、頭部の姿勢安定に寄与できる。【００１３】  また、前記嵩高部３、３及び嵩低部４、４には、プラスチック製の粒状乃至小片状充填物９が充填されると共に嵩低部４、４には、その袋状の容積よりも少ない量が充填されることで高柔軟性を発現できるように構成されているのが好ましい。
このように、前記本体１の各部位の嵩及び柔軟性を、その部位に充填する充填物９の量を所定（充満）より少なくすることで発現させているもので、このようにすることで、同時に、小さ目の袋カバー２に皺寄せ状態で容易に収納させることができるのである。【００１４】  更に、前記左右支え部６、６にはプラスチック製の粒状乃至小片状充填物９が略充満状態で充填されて低柔軟性を発現させ、前記首当て部７には原綿１０が略充満状態で充填されて低柔軟性を発現できるように構成されているのが好ましい。
このように、プラスチック製の粒状乃至小片状充填物９を用いたことは、熱の伝達、放熱性が良く、頭部の温度上昇を抑制して快適な睡眠を提供できると共に首部に対しては、原綿１０を用いて適度の硬さを付与し、首をしっかりと支え、また、細い首部及び肩部が冷えるのを未然に防止し、血流を促進することができる。
【実施例】
【００１５】  本発明の実施の形態を、図面を参照して以下詳述する。
図１は、本発明にかかる枕の本体の平面図であり、図２は、図１のＡ−Ａ線矢視断面図、図３は、前記本体を袋カバーに収納した枕全体の斜視図である。【００１６】  図１に示すように、この枕は、本体１が、左右両側に、略ハの字状に配置された袋状体の嵩高部３、３と、これらの袋状体の嵩高部３、３の間に配置された袋状体の嵩低部４、４とから成る。これら嵩高部３、３と嵩低部４、４の袋状体は、綿織り生地で縫製（ミシンによる手縫い）されている。勿論、その生地としては、化繊或いは合繊でもよい。
そして、嵩高部３、３と嵩低部４、４という意味は、何れ側に頭部を乗せても、乗せなくても嵩高部３、３は嵩低部４、４よりも、床（或いはベッド面からの高さが高い）からの高さが高いということである。【００１７】  そして、前記嵩高部３、３は、その袋状体の容積に略対応する粒状乃至小片状充填物９が充填されて所定のクッション性と保形性とを備えている。この粒状充填物９とは、プラスチック、ここでは、ポリエチレン製のもので、約１センチ程度の球状体に貫通孔を設けた構造のものである。その小片状充填物９とは、同じ素材で、チップ状にされたものである。従って、これらを単独で用いたり、混合して用いることはできる。【００１９】  前記嵩低部４、４は、その袋状体の容積に比して顕著に小さい容積を形成するように粒状乃至小片状充填物９が未完充填状態で充填されて所定のクッション性と変形性とを備えている。ここでは、容積比で、１０％乃至２０％程度の差をつけているが、この前後であれば、適宜の比としてもよい。また、その粒状乃至小片状充填物９は、上記と同様にポリエチレン製のものである。【００２０】  そして、綿生地で縫製された袋カバー２が、開閉用のファスナー８を有し、且つ、該袋状体２の少なくとも全長Ｌ１の寸法が、前記本体１の全長Ｌ２よりも顕著に短く構成されている。ここでは、その差は、８乃至１０センチとしている。しかし、その幅については、両者は、略同寸となっている。
このように、前記本体１が、前記嵩低部４、４の容積に比して少ない量の未完充填状態とさしたことで、左右方向から中央に寄せると、皺寄せさせることができ、即ち、本体１の全長を短縮、伸張させることができるようにされているのである。尚、前記ファスナー８は、マジックテープ等に変えてもよい。【００２１】  また、前記嵩高部３、３の頭頂側部分３Ａ、３Ａが、直接、前記嵩低部４、４に逢着されると共に他の部分（即ち、その中央部と下部）が、前記本体１の全幅方向に沿って配置された低柔軟性で袋状の左右支え部６、６に逢着されている。
そして、前記左右支え部６、６の内側の上部及び中央部が、前記嵩低部４、４の外側に逢着されているのである。【００２２】  更に、前記嵩高部３、３の首側部分３Ｂ、３Ｂが、前記左右支え部６、６を介して、低柔軟性の袋状の首当て部７により前記嵩低部４、４に逢着されているのである。
そして、前記嵩高部３、３及び嵩低部４、４には、プラスチック製、ここでは、ポリエチレン製の粒状乃至小片状充填物９が充填されると共に嵩低部４、４には、その袋状の容積よりも少ない量が充填されることで高柔軟性を発現できるように構成されている。この粒状充填物９は、直径約１センチ程度の球状体で、貫通孔が設けられている。また、小片状充填物９とした場合は、いわゆるチップ状のものである。【００２３】  更に、前記左右支え部６、６にはプラスチック製の粒状乃至小片状充填物９（上記と同様のもの）が略充満状態で充填されて低柔軟性を発現させ、前記首当て部７には原綿１０が略充満状態で充填されて低柔軟性を発現できるように構成されている。前記原綿１０については、小さな塊としたものが多数充填されている。
尚、図中、１１は、逢着のミシン目を示し、１２は、枕に乗せた頭部を示す。
【産業上の利用可能性】
【００２４】  本発明の枕の特徴は、粒状乃至小片状充填物９を袋状体の本体に収容し、この本体を袋カバーに収納させるものであり、本来の構成として格別の素材を用いる分けではないので、就寝用として用いるものであれば、どのようなタイプのものでも適用可能であり、その応用範囲は広いものである。
【図面の簡単な説明】
【００２５】
【図１】本発明にかかる枕の本体の平面図である。
【図２】本発明にかかる枕の本体の図１におけるＡ−Ａ線矢視断面図である。
【図３】本発明にかかる枕の本体の図１におけるＢ−Ｂ線矢視断面図である。
【図４】本発明にかかる枕の外観を示す斜視図である。
【符号の説明】
【００２６】  １：本体
２：袋カバー
３：嵩高部
３Ａ：嵩高部の頭頂側部分
３Ｂ：嵩高部の首側部分
４：嵩低部
６：左右支え部
８：ファスナー
９：粒状乃至小片状充填物
１０：原綿
【図１】
2008206936.tif 000003
【図２】
2008206936.tif 000004
【図３】
2008206936.tif 000005
【図４】
2008206936.tif 000006